(57)【要約】      （修正有）【課題】通りかかった人が地震振動による立灯篭の倒壊によって危害を受けないようにした転倒防止装置を提供する。【解決手段】参道や遊園道などの歩み道１の傍に立て並べられた立灯篭３の転倒防止装置であって、杭１２、１５と、杭１２、１５と立灯篭３との間に張設された牽張材１７〜１９とを備え、杭１２、１５は、立灯篭３に対して歩み道１とは反対側に設けられる。立灯篭３の歩み道１側には防護張設材が設けられている。【選択図】図１
0003218736.tif 000002
【実用新案登録請求の範囲】
【請求項１】
参道や遊園道などの歩み道の傍に立て並べられた立灯篭は、歩み道とは反対側に設けた杭と、該杭と立灯篭との間に張設された牽張材とにより引張保持されている転倒防止装置。
【請求項２】
請求項１に記載のものにおいて、立灯篭の歩み道側には防護張設材が設けられている転倒防止装置。
【考案の詳細な説明】
【技術分野】
【０００１】  本考案は、転倒防止装置に関する。
【背景技術】
【０００２】  神社や寺院、庭園などには参道横に添うなどして立灯篭が配備されている。
【先行技術文献】
【特許文献】
【０００３】
【特許文献１】
【考案の概要】
【考案が解決しようとする課題】
【０００４】  こうした立灯篭のうち参道横に添って設けられたものは、地輪（基礎）・竿・中台・火袋・笠・宝珠などからなるのが一般的であるが、これらは載せ付け式に組立てられているだけであるため地震の震動を受けると容易に転倒し、特に、その転倒した先が参道側であるとそこを通っていた参拝者などに危害が加わるおそれがあった。【０００５】  本考案は、こうした問題を解決しようとするものであり、通りかかった人が地震振動による立灯篭の転倒によって危害を受けないようにした転倒防止装置を提供することを目的とする。
【課題を解決するための手段】
【０００６】  本考案は上記目的を達成するため、請求項１に記載の考案は、参道や遊園道などの歩み道の傍に立て並べられた立灯篭は、歩み道とは反対側に設けた杭と、該杭と立灯篭との間に張設された牽張材とにより引張保持されている。
請求項２に記載の考案は、請求項１に記載のものにおいて、立灯篭の歩み道側には防護張設材が設けられている。
【考案の効果】
【０００７】  上述したように請求項１に記載の考案は、参道や遊園道などの歩み道の傍に立て並べられた立灯篭は、歩み道とは反対側に設けた杭と、該杭と立灯篭との間に張設された牽張材とにより引張保持されているので、通りかかった人が地震振動による立灯篭の倒壊によって危害を受けないようにした転倒防止装置を提供することができる。
【図面の簡単な説明】
【０００８】
【図１】  本考案の第１実施形態を示す側面図。
【図２】  本考案の第２実施形態を示す斜視図。
【図３】  本考案の第３実施形態を示す図４のＩＩＩ−ＩＩＩ線断面図。
【図４】  図３のＩＶ−ＩＶ線断面図。
【図５】  第４実施形態を示す斜視図。
【図６】  第５実施形態を示す側面図。
【図７】  付加的な提案例を示す正面図。
【図８】  図７のＶＩＩＩ−ＶＩＩＩ線断面図。
【図９】  他の付加的な提案例を示す正面図。
【考案を実施するための形態】
【０００９】  以下、本考案である転倒防止装置についての第１実施形態を図１に基づいて説明する。
これらの図において、１は参道である歩み道、２は道脇部、３は立灯篭で、立灯篭３は図に直交する方向に複数一定間隔を置いて配列されている。立灯篭３は、地輪（基礎）５・竿６・中台７・火袋８・笠９・宝珠１０の順に組立てられている。１２は長い第１杭で、杭止め１３により道脇部２の歩み道１とは逆方向側に打ち込まれている。
【００１０】  １５は短い第２杭で、杭止め１３により抜脱しにくく固定されている。１７は第１杭１２と笠９間に張設された第１牽張材で、ワイヤーやリンクチェーンなどの線条材でなる。１８は第２牽張材で、第１杭１２と火袋８間に張設されている。１９は第３牽張材で、第２杭１５と竿６との間に張設されている。
【００１１】  これら上下３本の牽張材１７，１８，１９は立灯篭３を歩み道１側とは逆の方向に引っ張り保持し、その結果、立灯篭３に地震の震動が作用した場合、該立灯篭３は歩み道１の側には倒れ込まず、従って、歩み道１を参拝者等が歩いていてもそれらの方に危害が加わるおそれが少なくなる。
図１の右欄に示すように、第１〜第３牽張材１７，１８，１９を上からみて異なる方向に向けて引っ張るようにすればより転倒危険度を低くすることができる。また、地輪５〜宝珠１０までを接合剤あるいは連結軸により一体化してもよい。
【００１２】  図２は第２実施形態を示す。２１は歩み道、２２は道脇部、２３は道脇部２２の歩み道２１側の端部に設けたコンクリート製柱基礎で、柱基礎２３には、縦柱２５と斜抗柱２６の組が複数一定間隔を置いて立設配備されており、これらの柱組２５，２６…を介して上下に離間した梁材２７，２７が固定され、これら柱組２５，２６や梁材２７，２７を介して炭素繊維あるいはアラミド繊維などの強化繊維やスチールでなる防護張設材２９が高さ１．５ｍ程度に張設されている。この防護張設材２９によってたとえ立灯篭３０…が歩み道２１側に倒れ掛ってきてもそこで遮断防護し傍を歩む人を転倒から救うことにつながるのである。
【００１３】  ３１は杭で、道脇部２２の反歩み道２１側に複数打込み固定され、これら杭３１…と縦柱２５との間にはそれぞれ牽張材３２が張設されている。そして、牽張材３２…を通して横張材３３が張設され、その横張材３３は立灯篭３０…を歩み道２１側から受け止めるべく張設されている。地輪〜宝珠までを接合剤あるいは連結軸により一体化してもよい。
【００１４】  図３および図４は第３実施形態を示す。４１は歩み道、４２は道脇部、４３は道脇部４２の歩み道４１側の端部土中に設けたコンクリート製柱基礎で、柱基礎４３には、縦柱４５の複数本が長手方向に一定の間隔を置いて立設配備されており、これら縦柱４５…を介して上下に離間した梁材４７，４７が固定され、これら縦柱４５や梁材４７，４７を介して炭素繊維あるいはアラミド繊維などの強化繊維やスチールでなる防護張設材４９が高さ１．５ｍ程度に張設されている。この防護張設材４９によってたとえ立灯篭５０…が歩み道４１側に倒れ掛ってきてもそこで遮断防護し傍を歩む人を転倒から救うことにつながるようにしてある。
【００１５】  ５２は杭で、道脇部４２の反歩み道４１側に杭止め５３を介して複数打込み固定され、これら杭５２…と防護張設材４９との間には、火袋５４内を各２本ずつ通るようにして牽張材５５，５５が張設されている。牽張材５５回りには保護ゴム５６が取り付けられている。牽張材５５，５５は、火袋５４の孔を介して立灯篭５０を下向きに押し下げるようにして固定するようになっている。立灯篭５０は、地輪（基礎）５７・竿５８・中台５９・火袋５４・笠６０・宝珠６１の順に組み合わせられている。地輪５７〜宝珠６１までを接合剤あるいは連結軸により一体化してもよい。防護張設材４９は、図４の右欄に示すように二重網型にして強くしてもよい。
【００１６】  図５は第４実施形態を示す。６４は歩み道、６５は道脇部、６６は道脇部６５の歩み道６４側の端部に設けたコンクリート製柱基礎で、柱基礎６６には、縦柱６８と斜抗柱６９の組が複数一定間隔を置いて立設配備されており、これらの柱組６８，６９…を介して上下に離間した梁材７０，７０が固定され、これら柱組６８，６９や梁材７０，７０を介して透明質ポリカーボネートである強化樹脂製防護張設材７２が高さ１．５ｍ程度に張設されている。この防護張設材７２によってたとえ立灯篭７３…が歩み道６４側に倒れ掛ってきてもそこで遮断防護し傍を歩む人を倒壊から救うことにつながるのである。防護張設材７２が透明質ポリカーボネートであると平時に立灯篭７３…を視透すことができる。
【００１７】  ７５は杭で、道脇部６５の反歩み道６４側に複数打込み固定され、これら杭７５…と縦柱６８との間にはそれぞれ牽張材７６が張設されている。そして、牽張材７６…を通して横張材７７が張設され、その横張材７７は立灯篭７３…を歩み道６４側から受け止めるべく張設されている。地輪〜宝珠までを接合剤あるいは連結軸により一体化してもよい。
【００１８】  図６は第５実施形態を示す。８１は歩み道、８２は道脇部で、その道脇部８２には立灯篭８３が図に直交する方向に複数一定間隔を置いて配列されている。立灯篭８３は、地輪（基礎）８５・竿８６・中台８７・火袋８８・笠８９・宝珠９０の順に組立てられている。
【００１９】  ９２は透明質のポリカーボネート製の円筒型上部カバーで、外からねじ込まれ進退調節可能にした上部固定ねじ軸９３…の複数本をねじ進めることにより立灯篭８３の外周に取り付けられている。この上部カバー９２は下部カバー９５のように合わせ型にすることができる。下部カバー９５は、透明質のポリカーボネート製で合わせ型をしたものでなり、該下部カバー９５にねじ込まれた下部固定ねじ軸９６…を介して竿８６回りに固定されるようになっている。
９７は下部ブラケットで、上端が下部カバー９５にねじ固定される一方下端が杭９８を介して道脇部８２上に固定されるようになっている。そして、上部固定ねじ軸９３と杭９８との間は牽張材９９により連結されている。地輪〜宝珠８５〜９０までを接合剤あるいは連結軸により一体化してもよい。
【００２０】  立灯篭８３は、上部と下部のカバー９２，９５で囲み固定されるとともにこれらカバー９２，９５を牽張材９９および下部ブラケット９７により固定してなるので、地震振動が作用してもいずれの方向にも揺れ防止がなされ倒壊するおそれがない。牽張材９９は３本以上にすればより安定化する。道脇部８２の歩み道８１側の位置には、図２、図４、図５のような防護張設材２９，４９，７２を設置して立灯篭８３がたとえ転倒しても歩み道８１側を歩く人々にまでは危害が及ばないようにすることもできる。
【００２１】  図７および図８は付加的な提案例を示す。同提案例は、神社の鳥居が地震振動により転倒しないようにしたもので、この例における鳥居は、礎石１０１上の柱１０２と貫１０３および島木１０４と笠木１０５よりなっているが、左右の柱１０２周りには、合わせ型をした金属製あるいはポリカなどの樹脂製の根巻１０７がそれぞれ垂直筒状をなすようにして設けられている。
【００２２】  その根巻１０７は楔１０８…により柱１０２周りとなるように固定されている。地盤１１０上には周方向複数個所に杭１１１…が打ち込まれるとともに、これら杭１１１と楔１０８との間には牽張材１１２が引張固定されている。これらにより鳥居は地震振動があっても有効に護られ参拝者など近くを通る人を危害から護るようになっている。
【００２３】  図９は他の付加的な提案例を示す。この例における鳥居は、礎石１０１上の柱１０２と貫１０３および島木１０４と笠木１０５よりなっているが、それらでなる鳥居の左右に離れた位置には防護柱１１５が立設され、その防護柱１１５自体を杭１１６と外牽張材１１７により引張固定しておく一方、鳥居自体には笠木１０５から貫１０３までを一体化すべくポリカーボネートあるいはアラミド繊維ネット製の巻帯１１８を設けておき、これら上巻１１８と防護柱１１５との間を内牽張材１１９で引張固定するようにしてある。
【００２４】  これらにより鳥居は地震振動があっても有効に護られ参拝者など近くを通る人を危害から護るようになっている。
【符号の説明】
【００２５】  １，２１…歩み道  ２，２２…道脇部  ３，３０…立灯篭  １２，１５，３１…杭  １７，１８，１９，３２…牽張材。
【図１】
0003218736.tif 000003
【図２】
0003218736.tif 000004
【図３】
0003218736.tif 000005
【図４】
0003218736.tif 000006
【図５】
0003218736.tif 000007
【図６】
0003218736.tif 000008
【図７】
0003218736.tif 000009
【図８】
0003218736.tif 000010
【図９】
0003218736.tif 000011
【手続補正書】
【提出日】平成30年8月17日(2018.8.17)
【手続補正１】
【補正対象書類名】実用新案登録請求の範囲
【補正対象項目名】全文
【補正方法】変更
【補正の内容】
【実用新案登録請求の範囲】
【請求項１】
参道や遊園道などの歩み道の傍に立て並べられた立灯篭の転倒防止装置であって、杭と、該杭と前記立灯篭との間に張設された牽張材とを備え、前記杭は、前記立灯篭に対して歩み道とは反対側に設けられることを特徴とする転倒防止装置。
【請求項２】
請求項１に記載の転倒防止装置において、立灯篭の歩み道側には防護張設材が設けられていることを特徴とする転倒防止装置。